(57)【要約】【課題】薄型化を実現できる光源装置及び表示装置を提供する。【解決手段】ランプ２１を保持するランプクリップ３１が一面に取り付けられるシャーシに前記ランプクリップ３１の方向に窪む凸部１１３を設け、ランプクリップ３１をシャーシに取り付けるための取付部３１４に対応する取付孔１１４を凸部１１３に形成することにより、取付部３１４がシャーシに取り付けられる際に取付孔１１４を突き抜けて突出される取付部３１４の先端部が凸部１１３内に収まり、シャーシの他面より突出しない。従って、シャーシの他面側に駆動回路基板部４１を配設する際においても、取付部３１４の先端部の突出量だけの余計な間隔を設ける必要がなくなる。【選択図】図２
2009295493.tif 000002
【特許請求の範囲】
【請求項１】
ランプを保持するランプクリップが一面に取り付けられた取付板を備えており、前記ランプクリップには前記取付板に取り付けられる取付部が設けられ、前記取付板には前記取付部が挿通される取付孔が設けられている光源装置において、
前記取付板の前記一面には中空の凸部が突設され、
該凸部には前記取付孔が設けられていることを特徴とする光源装置。
【請求項２】
前記凸部は、
前記取付孔を挿通して前記凸部の内側に突出する前記取付部の突出部が収まる形状を有していることを特徴とする請求項１に記載の光源装置。
【請求項３】
前記ランプクリップには前記凸部に倣う形状の凹部が設けられており、
該凹部内に前記取付部が突設されていることを特徴とする請求項１に記載の光源装置。
【請求項４】
請求項１から請求項３までの何れか一つに記載の光源装置と、
該光源装置から照射される光によって画像が表示される表示パネルと
を備えていることを特徴とする表示装置。
【発明の詳細な説明】
【技術分野】
【０００１】
本発明は、ランプを保持するランプクリップと、該ランプクリップが取り付けられる取付板とを備える光源装置及び該光源装置を備える表示装置に関する。
【背景技術】
【０００２】
近年広く普及している液晶テレビジョン、プラズマテレビジョンなどの表示装置は、薄型であることを特長の一つとして挙げることが出来る。また、このような表示装置においては、該表示装置によって占有されるスペースをさらに抑制するための様々な工夫が行われている。
【０００３】
図６は従来の表示装置に備えられた光源装置の模式的縦断面図であり、図７は前記光源装置の一部を拡大した模式図である。従来の表示装置は画像が表示される表示パネル１０２と、表示パネル１０２の裏側に配設され、表示パネル１０２に光を照射する光源装置１００とを備えている。
【０００４】
光源装置１００は長円筒状である複数のランプ１０３，１０３，１０３…を備えている。ランプ１０３，１０３，１０３…はランプクリップ１０４，１０４，１０４…によって保持され、ランプクリップ１０４，１０４，１０４…はシャーシ１０１（取付板）の一面に取り付けられている。
【０００５】
ランプクリップ１０４，１０４，１０４…は矩形平板状の基部１０７を備えており、基部１０７の一面にはランプ１０３，１０３，１０３…を把持する保持部１０６，１０６が突設され、各ランプクリップ１０４の基部１０７の他面にはランプクリップ１０４をシャーシ１０１に取り付ける取付部１０８，１０８が突設されている。取付部１０８，１０８は矢符状であり、シャーシ１０１に形成されている図示しない取付孔に挿嵌されている。つまり、前記取付孔はシャーシ１０１を厚み方向に貫通しており、取付部１０８，１０８の先端部は前記取付孔を介して、シャーシ１０１の他面から突出されている。なお、シャーシ１０１の他面側には、表示装置を駆動する駆動回路基板部１０５が配設されている。(例えば、特許文献１参照)
【特許文献１】特開２００８−３４３５７号公報
【発明の開示】
【発明が解決しようとする課題】
【０００６】
しかしながら、従来の表示装置又は光源装置にあっては、上述したように、取付部１０８，１０８の先端部が前記取付孔を突き抜けてシャーシ１０１の他面から突出されているので、薄型化を妨げる原因の一つであった。つまり、シャーシ１０１の他面側に駆動回路基板部１０５を配設する場合において、従来の表示装置又は光源装置は取付部１０８，１０８の先端部がシャーシ１０１の他面から突出されていることから、シャーシ１０１及び駆動回路基板部１０５の間に、取付部１０８，１０８の先端部の突出量だけの余計な間隔を設ける必要、又はシャーシ１０１の他面から突出された取付部１０８，１０８の先端部を避けて駆動回路基板部１０５を配置する制限が生じていた。しかし、特許文献１の光源装置ではこのような問題を解決することが出来ない。
【０００７】
本発明は、斯かる事情に鑑みてされたものであり、その目的とするところは、前記取付板に前記ランプクリップ側に窪む凸部を設け、前記ランプクリップの取付部に対応する取付孔を前記凸部に形成することにより、前記取付部が前記取付板に取り付けられる際に前記取付孔を突き抜けて突出される前記取付部の先端部が前記凸部内に収まり、駆動回路基板の配設において、シャーシと駆動回路基板部との間に、前記取付部の先端部の突出量だけの余計な間隔を設ける必要がなくなり、薄型化を実現できるうえ、駆動回路基板部の配置においてシャーシの前記他面から突出された取付部の先端部を避ける必要がなく、自由な駆動回路基板部の配設が可能となる光源装置及び表示装置を提供することにある。
【課題を解決するための手段】
【０００８】
本発明に係る光源装置は、ランプを保持するランプクリップが一面に取り付けられた取付板を備えており、前記ランプクリップには前記取付板に取り付けられる取付部が設けられ、前記取付板には前記取付部が挿通される取付孔が設けられている光源装置において、前記取付板の前記一面には中空の凸部が突設され、該凸部には前記取付孔が設けられていることを特徴とする。
【０００９】
本発明にあっては、前記取付板の前記一面には中空の凸部が設けられており、該凸部には前記取付部が挿通される前記取付孔が設けられているので、前記ランプクリップが前記取付板に取り付けられた場合に、前記取付部の一部が前記取付孔を通って前記取付板の他面に形成された凹部内に突出される。
【００１０】
本発明に係る光源装置は、前記凸部は、前記取付孔を挿通して前記凸部の内側に突出する前記取付部の突出部が収まる形状を有していることを特徴とする。
【００１１】
本発明にあっては、前記ランプクリップが前記取付板に取り付けられた場合、前記取付孔を挿通して前記凸部の内側に突出される前記取付部の突出部は、一部又は全部が前記凸部の内に収まる。
【００１２】
本発明に係る光源装置は、前記ランプクリップには前記凸部に倣う形状の凹部が設けられており、該凹部内に前記取付部が突設されていることを特徴とする。
【００１３】
本発明にあっては、前記凸部に倣う形状の凹部を前記ランプクリップに設け、前記凹部内に前記取付部を突設しているので、前記凹部の内側に前記凸部が嵌るように、前記ランプクリップを前記取付板に取り付けることにより、前記ランプクリップのガタツキが防止され、前記ランプクリップが前記取付板に静止される。
【００１４】
本発明に係る表示装置は、前述の本発明のいずれか一つに記載の光源装置と、該光源装置から照射される光によって画像が表示される表示パネルとを備えていることを特徴とする。
【００１５】
本発明にあっては、前記光源装置は前記表示パネルに光を照射し、該表示パネルは前記光源装置からの光を用いて画像を表示させる。
【発明の効果】
【００１６】
本発明によれば、前記取付板に前記ランプクリップの方向に窪む凹部を設け、前記ランプクリップの取付部に対応する取付孔を前記凹部に形成しているので、前記取付部が前記取付板に取り付けられる際に前記取付孔を介して突出される前記取付部の先端部が前記凹部内に収まり、駆動回路基板の配設においても、シャーシと駆動回路基板部との間に、前記取付部の先端部の突出による余計な間隔を設ける必要がなくなり、薄型化を実現できる。また、駆動回路基板部の配置においてシャーシの前記他面から突出された取付部の先端部を避ける必要がなく、自由な駆動回路基板部の配設が可能となる光源装置及び表示装置を提供することにある。
【発明を実施するための最良の形態】
【００１７】
以下、図面に基づいて本発明に係る光源装置及び該光源装置を備える表示装置について説明する。
【００１８】
図１は本発明に係る表示装置の模式的縦断面図、図２は本発明に係る表示装置の一部を拡大した模式図、図３は本発明に係る表示装置のランプクリップを示す斜視図である。本発明に係る表示装置は脚部（図示せず）を床に設置して縦置きされ、画像が表示される表示パネル５１と、一端部が表示パネル５１の表側の周縁部を取り囲むフロントキャビネット５と、表示パネル５１の裏側に配設され、表示パネル５１に光を照射する光源装置１とを備えている。また、光源装置１の裏側はリヤキャビネット６１によって覆われている。
【００１９】
表示パネル５１は矩形をなしており、表側に表示面を有している。表示パネル５１の裏側であって、光源装置１の表側には、光源装置１からの光を拡散させて、表示パネル５１の背面を均一に照射する光学シート６を備えている。光学シート６は反射偏光板、プリズムシート、拡散シート及び拡散板等が積層されており、表示パネル５１に対応する大きさの矩形をなす。
【００２０】
光源装置１は、長円筒状の複数のランプ２１，２１，２１…を備えている。ランプ２１，２１，２１…はランプクリップ３１，３１，３１…によって保持されており、ランプクリップ３１，３１，３１…はシャーシ１１（取付板）の一面に取り付けられている。また、シャーシ１１の他面側には、インバータ回路基板、電源回路基板等を備え、本発明に係る表示装置を駆動する駆動回路基板部４１が設けられている。
【００２１】
ランプ２１，２１，２１…は、例えば長さ数十ｃｍ以上、内径５ｍｍ以下の長円管状の蛍光管であり、夫々の中央部が少なくとも１個又は２個のランプクリップ３１，３１，３１…によって保持されることによって、表示パネル５１と平行的に並置されている。
【００２２】
ランプクリップ３１は、矩形板材からなる基部３１１を備えており、表示パネル５１に対向する一面には、光学シート６の撓みを防ぐ支持柱３１３及び一部に開口部を有する欠円状把持形状の保持部３１２，３１２を突設している。一方、ランプクリップ３１は駆動回路基板部４１に対向する他面に、シャーシ１１に取り付けられる一つの取付部３１４を突設している。図４はランプクリップ３１の一面側から見た模式図、図５はランプクリップ３１の他面側から見た模式図である。ランプクリップ３１は、例えば無色透明のアクリル樹脂を用いて各部を一体成形してなる。つまり、ランプクリップ３１は無色透明であるため、ランプクリップ３１の影が表示パネル５１の輝度を低下させることが抑制される。
【００２３】
基部３１１の中央部には、ランプクリップ３１がシャーシ１１に取り付けられた場合における表示パネル５１方向に窪む樋形状の凹部３１５を形成している。凹部３１５には円錐状の支持柱３１３が表示パネル５１方向に突設されており、支持柱３１３を挟んで、基部３１１の長手方向における両端部には保持部３１２，３１２が設けられている。各保持部３１２は可撓性を有するための適宜の厚みを有しており、各保持部３１２の内側径は、ランプ２１の外径より僅かに小さい。ランプ２１は、保持部３１２，３１２の開口部から内側へ圧入される。この場合、保持部３１２，３１２の開口部周辺が外側へ撓むので、ランプ２１を保持部３１２，３１２内側へ押し入れることが可能である。保持部３１２，３１２内側へ圧入されたランプ２１は、保持部３１２，３１２の弾性力によって把持される。
【００２４】
取付部３１４は、凹部３１５の内側にて駆動回路基板部４１の方向に突設されている。詳しくは、取付部３１４は支持柱３１３の略真裏に配されており、矢符状をなしている。取付部３１４においては、前記矢符の基端側に該当する部分が基部３１１に連設しており、前記矢符の先端側に該当する部分は、可撓性を有するための適宜の厚みに形成されている。
【００２５】
シャーシ１１は矩形皿状の金属板材からなり、内面にはランプ２１，２１…が放射した光を光学シート６側に反射させる図示しない反射シートを配するか、又は光を反射する塗料を塗布してある。また、シャーシ１１は矩形の底部１１１と、底部１１１の周縁部から立ち上がる立ち上がり部１１２を有している。底部１１１及び立ち上がり部１１２は一体成型されている。
【００２６】
シャーシ１１の底部１１１には、前記光学シート６の方向に突出した中空の凸部１１３，１１３，１１３…を複数個所に設けている。凸部１１３，１１３，１１３…の外側の形状は、ランプクリップ３１，３１，３１…の凹部３１５の内側の形状に倣う形状を有している。例えば凸部１１３，１１３，１１３…は、突出先に向かって縮小するテーパ状又は截頭円錐状の外側の形状を有している。また、凸部１１３，１１３，１１３…の先端面には、つまり、ランプクリップ３１がシャーシ１１に取り付けられた場合に取付部３１４に対応する位置には、ランプクリップ３１，３１，３１…を取り付けるための取付孔１１４，１１４，１１４…が形成されている。取付孔１１４，１１４，１１４…は、底部１１１を厚み方向に貫通する貫通孔である。
【００２７】
また、凸部１１３は、ランプクリップ３１がシャーシ１１へ取り付けられた場合、後述する取付部３１４の突出部３１４Ａが、一部又は全部収まる適宜の形状（例えば、大きさ、高さ等）を有している。
【００２８】
以下、ランプクリップ３１のシャーシ１１への取付について説明する。
上述したように、シャーシ１１の凸部１１３の外側の形状は、ランプクリップ３１の凹部３１５の内側の形状に倣う形状を有しているので、ランプクリップ３１の凹部３１５をシャーシ１１の凸部１１３の位置に合わせて嵌合させる。この場合、ランプクリップ３１の取付部３１４は、シャーシ１１の取付孔１１４を挿通して掛止される。
【００２９】
つまり、ランプクリップ３１をシャーシ１１へ取付ける際、取付部３１４が、シャーシ１１の凸部１１３の外側から内側に、取付孔１１４を通じて挿入される。取付部３１４を取付孔１１４へ挿入する場合、取付部３１４の先端部が撓性変形して取付孔１１４を通過し、通過後、取付部３１４の先端部が元の形状に戻ることによって、ランプクリップ３１がシャーシ１１に掛止される。また、取付部３１４の先端部はシャーシ１１の凸部１１３の内側に突出することとなる。
【００３０】
この場合には、取付部３１４の先端部のなかで、取付孔１１４を突き抜いて凸部１１３の内側に突出する部分（以下、突出部３１４Ａ）は、凸部１１３の内側に収まる。すなわち、上述したように、凸部１１３は、ランプクリップ３１がシャーシ１１に取り付けられた場合、突出部３１４Ａが、一部又は全部収まる適宜の形状を有しているので、突出部３１４Ａの一部又は全部が凸部１１３の内側に収まる。
【００３１】
例えば、凸部１１３が、突出部３１４Ａの全部が収まる形状を有するように構成された場合は、ランプクリップ３１がシャーシ１１へ取り付けられたときであっても、ランプクリップ３１の取付部３１４が凸部１１３の内側から外へ、つまり、シャーシ１１の前記他面より突出することはない。従って、本発明に係る光源装置１及び表示装置の薄型化を実現できる。
【００３２】
従来の表示装置又は光源装置にあっては、ランプクリップがシャーシに取り付けられた場合、ランプクリップの取付部の先端部（突出部）が取付孔を突き抜けてシャーシの他面から突出されていたので、薄型化を妨げる一つの原因であった。
【００３３】
つまり、図６又は図７で示すような従来の表示装置又は光源装置１００においては、シャーシ１０１の前記他面側へ駆動回路基板部１０５を取り付ける場合、取付部１０８，１０８の先端部がシャーシ１０１の前記他面から突出されていることから、シャーシ１０１と駆動回路基板部１０５との間に取付部１０８，１０８の先端部の突出量だけの余計な間隔を設ける必要、又はシャーシ１０１の他面から突出された取付部１０８，１０８の先端部を避けて駆動回路基板部１０５を配置する制限が生じており、これが表示装置又は光源装置の薄型化を阻害していた。
【００３４】
しかしながら、本発明に係る光源装置１及び表示装置は、ランプクリップ３１がシャーシ１１へ取り付けられた場合、突出部３１４Ａの全部が凸部１１３内に収まるので、突出部３１４Ａが凸部１１３の内側から外へ、つまり、シャーシ１１の前記他面より突出することはない。従って、シャーシ１１の他面側に駆動回路基板部４１を配設する際に、取付部３１４の先端部（突出部３１４Ａ）の突出量だけの余計な間隔を、シャーシ１１（底部１１１）と駆動回路基板部４１との間に設ける必要がなく、薄型化を実現できる。また、駆動回路基板部４１の配置において、シャーシ１１の前記他面から突出された取付部３１４，３１４の先端部を避ける必要がなく、自由な駆動回路基板部４１の配設を可能とする。
【図面の簡単な説明】
【００３５】
【図１】本発明に係る表示装置の模式的縦断面図である。
【図２】本発明に係る表示装置の一部を拡大した模式図である。
【図３】本発明に係る表示装置のランプクリップを示す斜視図である。
【図４】ランプクリップの一面側から見た模式図である。
【図５】ランプクリップの他面側から見た模式図である。
【図６】従来の表示装置に備えられた光源装置の模式的縦断面図である。
【図７】従来の表示装置に備えられた光源装置の一部を拡大した模式図である。
【符号の説明】
【００３６】
１  光源装置
１１  シャーシ（取付板）
２１  ランプ
３１  ランプクリップ
５１  表示パネル
１１３  凸部
１１４  取付孔
３１４  取付部
３１４Ａ  突出部
３１５  凹部
【図１】
2009295493.tif 000003
【図２】
2009295493.tif 000004
【図３】
2009295493.tif 000005
【図４】
2009295493.tif 000006
【図５】
2009295493.tif 000007
【図６】
2009295493.tif 000008
【図７】
2009295493.tif 000009